(57)【要約】【課題】高周波アシスト磁気記録において、より高速で安定した記録が可能な磁気ディスク装置を提供する。【解決手段】実施形態によれば、磁気ディスク装置は、記録媒体の記録層に記録磁界を印加する主磁極６６と、主磁極を励磁する記録コイル７１と、記録媒体と対向する媒体対向面の近傍で主磁極に隣接して設けられ、高周波を発生するスピントルク発振子７４と、記録コイルに記録電流を供給する記録電流制御回路７０と、スピントルク発振子に一定の駆動電流を供給する駆動電流制御回路８０と、駆動電流の大きさに応じて、記録電流の極性反転後のオーバーシュート量を制御するオーバーシュート制御回路７７と、を備えている。【選択図】図３
2016012384.tif 000002
【特許請求の範囲】
【請求項１】
記録媒体の記録層に記録磁界を印加する主磁極と、
前記主磁極を励磁する記録コイルと、
前記記録媒体と対向する媒体対向面の近傍で前記主磁極に隣接して設けられ、高周波を発生させるスピントルク発振子と、
前記記録コイルに記録電流を供給する記録電流制御回路と、
前記スピントルク発振子に一定の駆動電流を供給する駆動電流制御回路と、
前記駆動電流の大きさに応じて、前記記録電流の極性反転後のオーバーシュート量を制御するオーバーシュート制御回路と、
を備える磁気ディスク装置。
【請求項２】
前記記録コイルと記録電流制御回路を接続する第１配線と、前記スピントルク発振子と駆動電流制御回路を接続する第２配線と、を備え、
前記スピントルク発振子に供給する駆動電流は、前記記録電流印加時の前記第１配線から第２配線へのクロストークによるレベル変動により、前記駆動電流の値よりも絶対値で高くなる部分を有する請求項１に記載の磁気ディスク装置。
【請求項３】
前記オーバーシュート制御回路は、前記クロストークによる駆動電流のレベル変動が、前記駆動電流の値の±３０％以内となるように、前記記録電流のオーバーシュート量を制御する請求項２に記載の磁気ディスク装置。
【請求項４】
前記記録電流制御回路は、前記駆動電流の大きさに応じて、前記記録電流の正極性への反転後のオーバーシュート量を制御するオーバーシュート制御回路と、前記駆動電流の大きさに応じて、前記記録電流の負極性への反転後のアンダーシュート量を制御するアンダーシュート制御回路と、を備えている請求項１ないし３のいずれか１項に記載の磁気ディスク装置。
【請求項５】
前記アンダーシュート制御回路は、前記オーバーシュート量よりも大きいアンダーシュート量を設定するように構成されている請求項４に記載の磁気ディスク装置。
【請求項６】
前記オーバーシュート制御回路は、オーバーシュートの持続期間を制御する第１持続期間制御回路を備え、前記アンダーシュート制御回路は、アンダーシュートの持続期間を前記オーバーシュートの持続期間よりも短く設定する第２持続期間制御回路を備えている請求項４又は５に記載の磁気ディスク装置。
【発明の詳細な説明】
【技術分野】
【０００１】
この発明の実施形態は、高周波アシスト方式を用いる磁気ディスク装置に関する。
【背景技術】
【０００２】
ディスク装置として、例えば、磁気ディスク装置は、ケース内に配設された磁気ディスクと、磁気ディスクを支持および回転するスピンドルモータと、磁気ディスクに対して情報のリード／ライトを行う磁気ヘッドと、を備えている。
【０００３】
近年、記録密度の向上を図る目的で、磁気ヘッドの主磁極の近傍に高周波発振子としてスピントルク発振子を設け、このスピントルク発振子から磁気ディスクの磁気記録層に高周波磁界を印加する高周波アシスト記録方式の磁気ヘッドが提案されている。また、スピントルク発振子に対して定常レベルである第１レベルの駆動信号を連続的に供給し、記録信号の極性反転後の所定時間だけ第１レベルより高い第２レベルの駆動信号をスピントルク発振子に供給する駆動制御方式を用いた磁気ディスク装置が提案されている。
【先行技術文献】
【特許文献】
【０００４】
【特許文献１】特許第４６４９５１９号公報
【特許文献２】特開２０１３−２２９０６７号公報
【特許文献３】米国特許第８６７０２０１号明細書
【発明の概要】
【発明が解決しようとする課題】
【０００５】
しかし、高速に第１レベルと第２レベルの駆動信号を高速で切り替える際、例えば、スイッチングノイズ等による予期せぬ高電圧がスピントルク発振子にかかってしまい、かえってスピントルク発振子の発振が不安定となるだけでなく、場合によっては、スピントルク発振子が損傷する可能性もある。
【０００６】
この発明は以上の点に鑑みなされたもので、その課題は、高周波アシスト磁気記録において、より高速で安定な記録が可能な磁気ディスク装置を提供することにある。
【課題を解決するための手段】
【０００７】
実施形態によれば、磁気ディスク装置は、記録媒体の記録層に対し記録磁界を印加する主磁極と、前記主磁極を励磁する記録コイルと、前記記録媒体と対向する媒体対向面の近傍で前記主磁極に隣接して設けられ、高周波を発生させるスピントルク発振子と、前記記録コイルに記録電流を供給する記録電流制御回路と、前記スピントルク発振子に一定の駆動電流を供給する駆動電流制御回路と、前記駆動電流の大きさに応じて、前記記録電流の極性反転後のオーバーシュート量を制御するオーバーシュート制御回路と、を備えている。
【図面の簡単な説明】
【０００８】
【図１】図１は、第１の実施形態に係る磁気ディスク装置（ＨＤＤ）を示す斜視図。
【図２】図２は、前記ＨＤＤにおける磁気ヘッド、サスペンション、記録媒体を示す側面図。
【図３】図３は、前記磁気ヘッドのヘッド部および磁気ディスクの一部を拡大して概略的に示す断面図。
【図４】図４は、前記磁気ヘッドにおける記録電流波形、スピントルク発振子駆動電流波形、スピントルク発振子の発振挙動を示す図。
【図５】図５は、比較例に係る磁気ヘッドの記録電流波形、スピントルク発振子駆動電流波形、スピントルク発振子の発振挙動を示す図。
【図６】図６は、第１の実施形態において、スピントルク発振子の発振挙動を駆動電流を変えて測定した場合の、発振強度と発振周波数の関係を示す図。
【図７】図７は、第２の実施形態に係る磁気ディスク装置のオーバーシュート制御回路を示すブロック図。
【図８】図８は、第２の実施形態に係る磁気ディスク装置において、磁気ヘッドの記録電流波形、スピントルク発振子駆動電流波形を比較して示す図。
【発明を実施するための形態】
【０００９】
以下、図面を参照しながら、種々の実施形態について説明する。  
（第１の実施形態）  
図１は、ディスク装置として、第１の実施形態に係るハードディスクドライブ（ＨＤＤ）のトップカバーを取り外して内部構造を示し、図２は、浮上状態の磁気ヘッドを示している。図１に示すように、ＨＤＤは筐体１０を備えている。この筐体１０は、上面の開口した矩形箱状のベース１１と、図示しない矩形板状のトップカバーとを備えている。トップカバーは、複数のねじによりベースにねじ止めされ、ベースの上端開口を閉塞している。これにより、筐体１０内部は気密に保持され、呼吸フィルター２６を通してのみ、外部と通気可能となっている。
【００１０】
ベース１１上には、記録媒体としての磁気ディスク１２および駆動部が設けられている。駆動部は、磁気ディスク１２を支持および回転させるスピンドルモータ１３、磁気ディスク１２に対して情報の記録、再生を行なう複数、例えば、２つの磁気ヘッド３３、これらの磁気ヘッド３３を磁気ディスク１２の表面に対して移動自在に支持したヘッドアクチュエータ１４、ヘッドアクチュエータ１４を回動および位置決めするボイスコイルモータ（以下ＶＣＭと称する）１６を備えている。また、ベース１１上には、磁気ヘッド３３が磁気ディスク１２の最外周に移動した際、磁気ヘッド３３を磁気ディスク１２から離間した位置に保持するランプロード機構１８、ＨＤＤに衝撃等が作用した際、ヘッドアクチュエータ１４を退避位置に保持するイナーシャラッチ２０、および変換コネクタ３７等の電子部品が実装された基板ユニット１７が設けられている。
【００１１】
ベース１１の外面には、制御回路基板２５がねじ止めされ、ベース１１の底壁と対向して位置している。制御回路基板２５は、基板ユニット１７を介してスピンドルモータ１３、ＶＣＭ１６、および磁気ヘッド３３の動作を制御する。
【００１２】
図１および図２に示すように、磁気ディスク１２は、垂直磁気記録媒体として構成されている。磁気ディスク１２は、例えば、直径約２．５インチの円板状に形成され非磁性体からなる基板１９を有している。基板１９の各表面には、下地層としての軟磁性層２３と、その上層部に、磁気記録層２２と保護膜２４とが順次積層されている。
【００１３】
図１に示すように、磁気ディスク１２は、スピンドルモータ１３のハブに互いに同軸的に嵌合されているとともにハブの上端にねじ止めされたクランプばね１５によりクランプされ、ハブに固定されている。磁気ディスク１２は、駆動モータとしてのスピンドルモータ１３により所定の速度で矢印Ｂ方向に回転される。
【００１４】
図１および図２に示すように、ヘッドアクチュエータ１４は、ベース１１の底壁上に固定された軸受部２１と、軸受部から延出した複数のアーム２７と、を備えている。これらのアーム２７は、磁気ディスク１２の表面と平行に、かつ、互いに所定の間隔を置いて位置しているとともに、軸受部２１から同一の方向へ延出している。ヘッドアクチュエータ１４は、弾性変形可能な細長い板状のサスペンション３０を備えている。サスペンション３０は、その基端がスポット溶接あるいは接着によりアーム２７の先端に固定され、アームから延出している。各サスペンション３０の延出端にジンバルばね４１を介して磁気ヘッド３３が支持されている。なお、ヘッドアクチュエータ１４は、軸受部２１のスリーブと、複数のアームとを一体に形成したいわゆるＥブロックを備えた構成としてもよい。
【００１５】
図２に示すように、各磁気ヘッド３３は、ほぼ直方体形状のスライダ４２とこのスライダの流出端（トレーリング端）に設けられた記録再生用のヘッド部４４とを有している。２本のアーム２７は所定の間隔を置いて互いに平行に位置し、これらのアームに取り付けられたサスペンション３０および磁気ヘッド３３は、磁気ディスク１２を間に挟んで互いに向かい合っている。
【００１６】
各磁気ヘッド３３は、サスペンション３０およびアーム２７上に固定された中継フレキシブルプリント回路基板（配線部材）３５、および、基板ユニット１７のメインＦＰＣ３８を介して、基板ユニット１７および制御回路基板２５に電気的に接続されている。
【００１７】
図１に示すように、ＶＣＭ１６は、軸受部２１からアーム２７と反対方向に延出した図示しない支持フレーム、および支持フレームに支持されたボイスコイルを有している。ヘッドアクチュエータ１４をベース１１に組み込んだ状態において、ボイスコイルは、ベース１１上に固定された一対のヨーク３４間に位置し、これらのヨークおよびヨークに固定された磁石とともにＶＣＭ１６を構成している。
【００１８】
磁気ディスク１２が回転した状態でＶＣＭ１６のボイスコイルに通電することにより、ヘッドアクチュエータ１４が回動し、磁気ヘッド３３は磁気ディスク１２の所望のトラック上に移動および位置決めされる。この際、磁気ヘッド３３は、磁気ディスク１２の径方向に沿って、磁気ディスクの内周縁部と外周縁部との間を移動される。
【００１９】
次に、磁気ヘッド３３の構成について詳細に説明する。図３は、磁気ヘッド３３のヘッド部４４および磁気ディスクの一部を拡大して示す断面図である。
【００２０】
図２および図３に示すように、磁気ヘッド３３は浮上型のヘッドとして構成され、ほぼ直方体状に形成されたスライダ４２と、スライダの流出端（トレーリング）側の端部に形成されたヘッド部４４とを有している。スライダ４２は、例えば、アルミナとチタンカーバイドの焼結体（アルチック）で形成され、ヘッド部４４は複数層の薄膜により形成されている。
【００２１】
スライダ４２は、磁気ディスク１２の表面に対向する矩形状のディスク対向面（媒体対向面、空気支持面（ＡＢＳ））４３を有している。スライダ４２は、磁気ディスク１２の回転によってディスク表面とディスク対向面４３との間に生じる空気流Ｃにより、磁気ディスク表面から所定量浮上した状態に維持される。空気流Ｃの方向は、磁気ディスク１２の回転方向Ｂと一致している。スライダ４２は、磁気ディスク１２表面に対し、ディスク対向面４３の長手方向が空気流Ｃの方向とほぼ一致するように配置されている。スライダ４２は、空気流Ｃの流入側に位置するリーディング端４２ａおよび空気流Ｃの流出側に位置するトレーリング端４２ｂを有している。
【００２２】
図３に示すように、ヘッド部４４は、スライダ４２のトレーリング端４２ｂに薄膜プロセスで形成された再生ヘッド５４および磁気記録ヘッド５６を有し、分離型磁気ヘッドとして形成されている。
【００２３】
再生ヘッド５４は、磁気抵抗効果を示す磁性膜５０と、この磁性膜のトレーリング側およびリーディング側に磁性膜５０を挟むように配置されたシールド膜５２ａ、５２ｂと、で構成されている。これら磁性膜５０、シールド膜５２ａ、５２ｂの下端は、スライダ４２のディスク対向面４３に露出している。
【００２４】
磁気記録ヘッド５６は、再生ヘッド５４に対して、スライダ４２のトレーリング端４２ｂ側に設けられている。図３に示すように、記録ヘッド５６は、磁気ディスク１２の表面に対して垂直方向の記録磁界を発生させる高飽和磁化材料からなる主磁極（記録磁極）６６と、主磁極６６のトレーリング側にギャップ（ライトギャップ）を置いて対向したトレーリングシールド（シールド磁極）６８と、主磁極６６およびトレーリングシールド６８を含む磁気回路（磁気コア）に巻きつくように配置された記録コイル７１と、主磁極６６のディスク対向面４３側の先端部６６ａとトレーリングシールド６８との間で、かつ、ディスク対向面４３に面する部分に配置された高周波発振子、例えば、スピントルク発振子７４と、を有している。磁気ディスク１２に信号を書き込む際、記録コイル７１に記録電流を流すことにより、主磁極６６に磁束を励起する。
【００２５】
主磁極６６は、磁気ディスク１２の表面に対してほぼ垂直に延びている。主磁極６６の磁気ディスク１２側の先端部６６ａは、ディスク面に向かって先細に絞り込まれている。主磁極６６の先端面は、スライダ４２のディスク対向面４３に露出している。本実施形態において、主磁極６６の先端部６６ａの幅は、磁気ディスク１２におけるトラックの幅にほぼ対応している。
【００２６】
トレーリングシールド６８は、ほぼＬ字形状に形成され、その先端部６８ａは、細長い矩形状に形成されている。トレーリングシールド６８の先端面は、スライダ４２のディスク対向面４３に露出している。トレーリングシールド６８は、主磁極６６直下の軟磁性層２３を介して効率的に磁路を閉じるために設けられている。先端部６８ａのリーディング側端面は、磁気ディスク１２のトラックの幅方向に沿って延びている。このリーディング側端面は、主磁極６６のトレーリング側端面とライトギャップＷＧを置いてほぼ平行に対向している。なお、主磁極６６のトラック幅方向の両側へサイドシールドを設置してもよい。このサイドシールドを設置することにより、隣接トラックへのフリンジ磁界の減少が可能となり、トラック幅方向の記録密度を向上することが出来る。
【００２７】
トレーリングシールド６８は、ディスク対向面４３から離れた位置で、例えばＳｉＯ2等の非導電体６７を介して主磁極６６に連結されている。この非導電体６７により、主磁極６６とトレーリングシールド６８とが電気的に絶縁されている。
【００２８】
記録コイル７１は、配線Ｗ１を介して記録電流制御回路７０に接続されている。記録電流制御回路７０は、制御回路基板２５、基板ユニット１７、あるいは、メインＦＰＣ３８の中継フレキシブルプリント回路基板（配線部材）３５側の端部に配置したプリアンプＩＣ、に設けられ、電源８２に接続された記録電流駆動回路７６およびオーバーシュート制御回路７７を有している。そして、記録電流駆動回路７６は、制御回路基板２５から送られる記録信号、記録パターンに応じて記録電流Ｉｗを記録コイル７１に通電する。これにより、記録コイル７１は主磁極６６を励磁し、主磁極６６から記録磁界を発生させる。また、オーバーシュート制御回路７７は、記録電流Ｉｗが極性反転する際、スピントルク発振子７４の駆動電流値に応じて、オーバーシュートを制御する。
【００２９】
図３に示すように、スピントルク発振子７４は、主磁極６６の先端部６６ａとトレーリングシールド６８のリーディング側端面との間に設けられ、ライトギャップＷＧ内に位置している。また、スピントルク発振子７４の下端面は、スライダのディスク対向面４３に露出し、磁気ディスク１２の表面に対して、主磁極６６の先端面とほぼ同一の高さ位置に設けられている。すなわち、スピントルク発振子７４の下端面は、スライダ４２のディスク対向面４３と面一に、かつ、磁気ディスク１２の表面とほぼ平行に位置している。
【００３０】
スピントルク発振子７４は、非磁性導電層からなる下地層、スピン注入層（第１磁性体層）７４ａ、中間層７４ｂ、発振層（第２磁性体層）７４ｃ、非磁性導電層からなるキャップ層を、主磁極６６側からトレーリングシールド６８側に順に積層して構成されている。下地層は主磁極６６の先端部６６ａに接して形成され、また、キャップ層はトレーリングシールド６８のリーディング側端面に接して形成されている。
【００３１】
発振層７４ｃは、例えば、軟磁性かつ飽和磁束密度が大きなＦｅＣｏＮｉ等により形成され、中間層７４ｂは、例えば、スピン拡散長が長いＣｕ等により形成されている。スピン注入層７４ａは、例えば、保磁力が高くかつスピン偏極率が高いＣｏ／Ｎｉ人工格子により形成されている。また、スピン注入層７４ａは、記録時に発生するギャップ磁界よりも小さい保磁力を有する材料で形成してもよい。なお、主磁極６６側から順にスピン注入層７４ａ、中間層７４ｂ、発振層７４ｃを積層する構成としたが、これに限らず、主磁極６６側から発振層、中間層、スピン注入層の順で積層する構成としてもよい。
【００３２】
スピントルク発振子７４は、主磁極６６、トレーリングシールド６８、および配線Ｗ２を介してスピントルク発振子（ＳＴＯ）駆動電流制御回路８０に接続されている。ＳＴＯ駆動電流制御回路８０は、制御回路基板２５、基板ユニット１７、あるいは、メインＦＰＣ３８の中継フレキシブルプリント回路基板（配線部材）３５側の端部に配置したプリアンプＩＣ、に設けられ、電源８２およびオーバーシュート制御回路７７に接続されている。そして、ＳＴＯ駆動電流制御回路８０は、制御回路基板２５の制御の下、電源８２から主磁極６６およびトレーリングシールド６８に電圧を印加することにより、配線Ｗ２、主磁極６６、スピントルク発振子７４、トレーリングシールド６８を通して駆動電流ＩSTOを直列に通電する。すなわち、ＳＴＯ駆動電流制御回路８０は、スピントルク発振子７４の膜厚方向に、直流電流を通電する。通電することにより、スピントルク発振子７４の発振層７４ｃの磁化が回転し、高周波磁界（マイクロ波）を発生させることが可能となる。これにより、スピントルク発振子７４は、磁気ディスク１２の記録層に高周波磁界を印加し、記録層の保磁力を低減する。
【００３３】
図４は、記録電流Ｉｗを４０ｍＡ、ＳＴＯ駆動電流ＩSTOを２．５ｍＡにそれぞれ設定した時に、記録電流Ｉｗのオーバーシュート量Ｓ１をＳＴＯ駆動電流の１０倍である２５ｍＡに設定して駆動した場合の、（Ａ）記録電流波形、（Ｂ）ＳＴＯ駆動電流波形、（Ｃ）スピントルク発振子７４の発振挙動を示した図である。
【００３４】
記録電流波形は、その極性が反転する際にオーバーシュートが重畳し、その後、設定値である一定電流値の４０ｍＡとなる波形となっている。オーバーシュート量Ｓ１は２５ｍＡとなるように制御している。そのため、記録電流波形の極性反転後に示す最大値は６５ｍＡのピークを持っている。この時のＳＴＯ駆動電流波形は、記録電流Ｉｗの極性反転がない部分では設定値である２．５ｍＡであるが、記録電流の極性反転時には配線Ｗ１、Ｗ２間のクロストークノイズ（電流）が重畳することで、絶対値で最大約３ｍＡ、最小約２．３ｍＡとなるようなレベル変動が生じている。その時のスピントルク発振子７４の発振挙動は、記録電流Ｉｗの極性反転後、速やかに発振しており、極性反転後の発振遅れはほとんどない。なお、本実施形態において、オーバーシュート制御回路７７により、負極性側のアンダーシュート量Ｓ２を、正極性側のオーバーシュート量Ｓ１と共通に制御している。
【００３５】
一方、図５は、比較例として、ＳＴＯ駆動電流制御回路８０とオーバーシュート制御回路７７の接続を切り、記録電流Ｉｗのオーバーシュートを発生させない場合の（Ａ）記録電流波形、（Ｂ）ＳＴＯ駆動電流波形、（Ｃ）スピントルク発振子の発振挙動を示している。記録電流ＩｗおよびＳＴＯ駆動電流ＩSTOは、それぞれ４０ｍＡ、２．５ｍＡに設定している。
【００３６】
図５に示すように、比較例において、記録電流Ｉｗは極性反転時のオーバーシュートがほとんどない電流波形となっている。ＳＴＯ駆動電流波形は、記録電流Ｉｗの極性反転時にわずかに配線Ｗ１、Ｗ２間のクロストークノイズが重畳しているが、その値は、０．１ｍＡ程度である。その際のスピントルク発振子７４の発振挙動は、発振強度が緩やかに立ち上がるとともに、その発振周波数も低い値から徐々に高い値になっていることが分かる。従って、比較例の場合は、記録磁界反転に対して高周波磁界の発振が遅れて発生していることが分かる。
【００３７】
以上のように、本実施形態に係る磁気ディスク装置では、記録電流Ｉｗが極性反転する際、オーバーシュート制御回路７７により、スピントルク発振子７４の駆動電流値に応じてオーバーシュート量を制御することにより、極性反転後の発振遅れをほとんど生じることなくスピントルク発振子７４を速やかに発振させることができる。そのため、転送速度が上がり、記録周波数が高くなった場合でも、スピントルク発振子７４は記録電流反転に追随して発振し、安定した高周波アシストにより良好な記録を行うことができる。
【００３８】
図６は、ＳＴＯ駆動電流ＩSTOを変えて、スピントルク発振子の発振挙動を測定した場合の、発振強度と発振周波数との関係を示している。ここで用いたスピントルク発振子７４の抵抗は５０Ωとし、ＳＴＯ駆動電流ＩSTOを１．２〜４ｍＡまで変化させて測定した。  
この図から、ピーク強度が高く発振周波数もほぼ一定となる駆動電圧範囲は、ほぼ１００〜１８０ｍＶであることがわかる。ここで安定した発振が得られる駆動電圧範囲の中点である１４０ｍＶを駆動電圧とすると、安定した発振が得られる範囲は、およそ１４０ｍＶ（２．５ｍＡ）±３０％の範囲となっている。従って、ＳＴＯ駆動電流ＩSTOに配線間のクロストークノイズが重畳した場合でも安定して発振できる範囲は、重畳する成分(電流)が設定駆動電流の±３０％に収めることが望ましい。この範囲を超えてしまうと、発振周波数がずれてしまうか、十分な発振強度が得られなくなってしまうおそれがある。  
以上のことから、本実施形態によれば、高周波アシスト磁気記録において、より高速で安定な記録が可能な磁気ディスク装置が得られる。
【００３９】
次に、他の実施形態に係るＨＤＤについて説明する。なお、以下に説明する他の実施形態において、前述した第１の実施形態と同一の部分には、同一の参照符号を付してその詳細な説明を省略し、第１の実施形態と異なる部分を中心に詳しく説明する。
【００４０】
（第２の実施形態）  
図７は、第２の実施形態に係るＨＤＤにおける、記録ヘッドの記録電流制御回路、スピントルク発振子駆動電流制御回路を概略的に示すブロック図である。  
第２の実施形態によれば、ＨＤＤは、極性反転時における記録電流Ｉｗの正極性側のオーバーシュートと、負極性側のアンダーシュートとを個別に制御する構成としている。すなわち、図７に示すように、ＨＤＤは、配線Ｗ１を介して磁気ヘッドの記録コイル７１に記録電流を供給する記録電流制御回路７０と、配線Ｗ２を介してスピントルク発振子（ＳＴＯ）に駆動電流を供給するスピントルク発振子駆動電流制御回路８０とを備えている。
【００４１】
記録電流制御回路７０は、電源８２に接続された記録電流駆動回路７６と、ＳＴＯ駆動電流値に応じてオーバーシュート量Ｓ１を制御するオ−バーシュート制御回路７７と、ＳＴＯ駆動電流値に応じてアンダーシュート量Ｓ２を制御するアンダーシュート制御回路９０と、を有している。オ−バーシュート制御回路７７は、オーバーシュートの振幅を調整する第１振幅制御回路７７ａ、およびオーバーシュートの持続期間（デュレーション）Ｔ１を制御する第１期間制御回路７７ｂを含んでいる。同様に、アンダーシュート制御回路９０は、アンダーシュートの振幅を調整する第２振幅制御回路９０ａ、およびアンダーシュートの持続期間（デュレーション）Ｔ２を制御する第２期間制御回路９０ｂを含んでいる。そして、記録電流制御回路７０は、記録電流の極性反転時、オ−バーシュート制御回路７７とアンダーシュート制御回路９０とを切換えて記録電流を制御する。
【００４２】
図８は、記録電流Ｉｗを４０ｍＡ、ＳＴＯ駆動電流ＩSTOを２．５ｍＡにそれぞれ設定した時の、（Ａ）記録電流波形、（Ｂ）ＳＴＯ駆動電流波形を示した図である。記録電流Ｉｗのアンダーシュートの場合、スピントルク（ＳＴＯ）発振子駆動電流ＩSTOに重畳されるクロストークノイズ（電流）は、アンダーシュート後のリングバックが実際のスピントルク発振子のブースト効果に寄与する。そのため、アンダーシュート量Ｓ２は、オーバーシュート量Ｓ１よりも大きく設定することが望ましい。
【００４３】
アンダーシュートに起因するクロストークノイズ（電流）は、ＳＴＯ駆動電流ＩSTOを下げる方向に重畳されるため、アンダーシュート量Ｓ２を多くしてもスピントルク発振子７４の破壊等の問題は生じない。しかし、アンダーシュートに続くリングバックが遅れると発振ブースト効果も遅れてしまう。そのため、アンダーシュートの持続期間（デュレーション）Ｔ２は、オーバーシュートの持続期間Ｔ１よりも短く設定することが望ましい。
【００４４】
記録電流制御回路７０は、オーバーシュート制御回路（正極性に対応）７７と、アンダーシュート制御回路（負極性に対応）９０とを備え、これらの制御回路を記録電流の極性に合わせて切り替えて使用する。オーバーシュート制御回路７７の第１振幅制御回路７７ａは、オーバーシュートに起因してＳＴＯ駆動電流ＩSTOに重畳されるクロストークノイズ（電流）が設定ＳＴＯ駆動電流の±３０％となるように、オーバーシュートの振幅（オーバーシュート量）Ｓ１を制御する。
【００４５】
アンダーシュート制御回路９０の第２振幅制御回路９０ａは、記録電流Ｉｗの極性反転時、アンダーシュートの振幅（アンダーシュート量）Ｓ２を、オーバーシュートの振幅Ｓ１よりも例えば、４０ないし６０％大きく設定する。また、アンダーシュート制御回路９０の第２持続期間制御回路９０ｂは、アンダーシュートの持続期間Ｔ２を、オーバーシュートの持続期間Ｔ１よりも短く、例えば、２／３程度の期間に設定する。
【００４６】
これにより、記録電流Ｉｗのオーバーシュート時とアンダーシュート時とでＳＴＯ駆動電流ＩSTOを増大させる方向の成分はほぼ同じとなり、正極、負極のいずれの記録電流極性の場合でも良好なスピントルク発振を得ることができた。
【００４７】
第２の実施形態において、ＨＤＤの他の構成は、前述した第１の実施形態と同一である。以上のように構成された第２の実施形態よれば、高周波アシスト磁気記録において、第１の実施形態の記録ヘッドよりも、更に高速で安定した記録が可能な磁気ディスク装置を得ることができる。  
なお、第２の実施形態において、記録電流Ｉｗの正極側の電流レベルＬ１と負極側の電流レベルＬ２とを互いに異なるレベルに設定してもよく、Ｌ１＞Ｌ２あるいはＬ１＜Ｌ２としてもよい。
【００４８】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、高周波発振子は、主磁極のトレーリング側に限らず、主磁極のリーディング側に設けてもよい。記録電流値、駆動電流値、記録電流のオーバーシュート量、アンダーシュート量、持続期間は、上述した実施形態で示した数値に限定されることなく、適宜変更可能である。
【符号の説明】
【００４９】
１０…筺体、１１…ベース、１２…磁気ディスク、１３…スピンドルモータ、
１４…ヘッドアクチュエータ、２５…制御回路基板、３３…磁気ヘッド、
４２…スライダ、４３…ディスク対向面、４４…ヘッド部、５４…再生ヘッド、
５６…磁気記録ヘッド、６６…主磁極、６６ａ…先端部、  
６８…トレーリングシールド、７１…記録コイル、７０…記録電流制御回路、
７４…スピントルク発振子（ＳＴＯ）、７６…記録電流駆動回路、
７７…オーバーシュート制御回路、７７ａ…第１振幅制御回路、
７７ｂ…第１持続期間制御回路、８０…スピントルク発振子駆動電流制御回路、
９０…アンダーシュート制御回路、９０ａ…第２振幅制御回路、
９０ｂ…第２持続期間制御回路
【図１】
2016012384.tif 000003
【図２】
2016012384.tif 000004
【図３】
2016012384.tif 000005
【図４】
2016012384.tif 000006
【図５】
2016012384.tif 000007
【図６】
2016012384.tif 000008
【図７】
2016012384.tif 000009
【図８】
2016012384.tif 000010